(57)【要約】【課題】簡単な構成でエアーバッグを急速に縮めることができてエアーポンプが損傷する恐れがないマッサージ機を提供する。【解決手段】保持用エアーバッグ10に供給されるエアーを生成するエアーポンプ32と、排気ポートＲ及びポンプ32の吐出し口32aに接続された給気ポートＰを有した給排気用電磁切換え弁20と、ポートＰと吐出し口32aを接続した給気配管27に接続した外部排出用電磁開閉弁21、吸込み口32bに接続した吸込み配管25と排気ポートＲを接続した戻し配管28，29に設けた排気用電磁弁２２と、吸込み口32bに接続した吸込み配管25に設けられエアーバッグ10の強制排気時に外気を吸込み配管25に吸込む真空防止孔とを具備する。切換え弁20は、通電時にエアーバッグ10への給気を担い非通電時にエアーバッグ10からの空気の排出を担う。開閉弁21は通電時に開き非通電時に閉じる。電磁弁22は、通電時にポートＲを吸込み口32bに連通させ非通電時にポートＲと吸込み口32bの連通を遮断する。【選択図】      図２
2006212257.tif 000002
【特許請求の範囲】
【請求項１】
マッサージ機本体と；
この本体に設けられ膨張状態を保持して使用される保持用エアーバッグと；
このエアーバッグに供給される圧縮エアーを生成するエアーポンプと；
排気ポート及び前記エアーポンプの吐出し口に接続された給気ポートを有し、通電時に前記保持用エアーバッグを前記給気ポートに連通させるとともに前記保持用エアーバッグと前記排気ポートの連通を遮断し、かつ、非通電時に前記保持用エアーバッグを前記排気ポートに連通させるとともに前記保持用エアーバッグと前記給気ポートの連通を遮断する給排気用電磁切換え弁と；
前記給気ポートと前記吐出し口とを接続した給気配管に接続されて通電時に開くとともに非通電時に閉じる外部排出用電磁開閉弁と；
前記エアーポンプの吸込み口に接続された吸込み配管と前記排気ポートを接続した戻し配管に設けられ、通電時に前記排気ポートを前記吸込み口に連通させるとともに非通電時に前記排気ポートと前記吸込み口との連通を遮断する排気用電磁弁と；
前記吸込み配管を有した吸込み通路系に設けられた真空防止孔と；
を具備したマッサージ機。
【請求項２】
マッサージ機本体と；
この本体に設けられて繰り返し膨縮して使用されるマッサージ用エアーバッグと；
これら各エアーバッグに供給される圧縮エアーを生成するエアーポンプと；
排気ポート及び前記エアーポンプの吐出し口に接続された給気ポートを有し、通電時に前記エアーバッグを前記給気ポートに連通させるとともに前記エアーバッグと前記排気ポートの連通を遮断し、かつ、非通電時に前記エアーバッグを前記排気ポートに連通させるとともに前記エアーバッグと前記給気ポートの連通を遮断する給排気用電磁切換え弁と；
前記給気ポートと前記吐出し口とを接続した給気配管に接続されて通電時に開くとともに非通電時に閉じる外部排出用電磁開閉弁と；
前記エアーポンプの吸込み口に接続された吸込み配管と前記排気ポートを接続した戻し配管に設けられ、通電時に前記排気ポートを前記吸込み口に連通させるとともに非通電時に前記排気ポートと前記吸込み口との連通を遮断する排気用電磁弁と；
前記吸込み配管を有した吸込み通路系に設けられた真空防止孔と；
を具備したマッサージ機。
【請求項３】
前記吸込み通路系がその中間に一体成形品からなる管継手を有し、この管継手に前記真空防止孔を一体に成形した請求項１又は２に記載のマッサージ機。
【発明の詳細な説明】
【技術分野】
【０００１】
本発明は、例えばマット本体に設けられたエアーバッグの膨縮によりマッサージをするマッサージマット等のマッサージ機に関する。
【背景技術】
【０００２】
従来、マッサージ用のエアーバッグから排出される空気を、エアーポンプが内装されたケース内に排気させて、このケース内の空気をエアーポンプで吸引するようにしたマッサージマットが知られている（例えば、特許文献１参照。）。
【０００３】
この技術では、エアーポンプの吸引によりエアーバッグ内の空気を排出できるので、エアーバッグからの排気効率を向上できる点で優れている。
【特許文献１】特許第３０１２１１４号公報（段落0018、0021−0024、図１、図５）
【発明の開示】
【発明が解決しようとする課題】
【０００４】
特許文献１の技術では、エアーポンプの吸引作用でエアーバッグ内の空気が完全に吸い出された後も、エアーポンプが内装されたケース内の空気をエアーポンプが吸込むことができるので、エアーポンプが急激に異常な負圧状態となることはない。しかし、エアーバッグから排出される空気が流入するケースを必要とするとともに、このケースをある程度耐圧構造とする必要がある。
【０００５】
これらの不具合は、エアーバッグから排出される空気をエアーポンプで直接的に吸込むようにすれば改善できる。しかし、このようにすると、エアーバッグ内の空気が完全に吸い出された時点からエアーポンプの負圧状態が急激に進行するため、エアーポンプに過負荷が与えられてエアーポンプが損傷に至る恐れがある。特に、エアーポンプがベーンポンプである場合には、異常負圧によってベーンが変形して破損する恐れが高いので、その改善が求められている。
【０００６】
本発明の目的は、簡単な構成でエアーバッグを急速に縮めることができてエアーポンプが損傷する恐れがないマッサージ機を提供することにある。
【課題を解決するための手段】
【０００７】
前記課題を解決するために、本発明は、保持用エアーバッグに供給される圧縮エアーを生成するエアーポンプと、排気ポート及びエアーポンプの吐出し口に接続された給気ポートを有し、通電時に保持用エアーバッグへの給気を担い、非通電時に保持用エアーバッグからの空気の排出を担う給排気用電磁切換え弁と、給気ポートと吐出し口とを接続した給気配管に接続されて、通電時に開くとともに非通電時に閉じる外部排出用電磁開閉弁と、エアーポンプの吸込み口に接続された吸込み配管と排気ポートを接続した戻し配管に設けられて、通電時に排気ポートを吸込み口に連通させ非通電時に排気ポートと吸込み口との連通を遮断する排気用電磁弁と、吸込み配管を有した吸込み通路系に設けられて保持用エアーバッグの強制排気時に外気を吸込む真空防止孔とを具備している。
【発明の効果】
【０００８】
本発明によれば、エアーバッグから排出される空気をエアーポンプに戻し配管及び吸込み配管を通じて直接的に吸込んでエアーバッグを縮めるので、エアーバッグから排出される空気を一旦溜める容積が大きなケースを要することがなく、簡単な構成でエアーバッグを急速に縮めることができるとともに、その際に真空防止孔を通じて吸込み配管系に外気を吸込むので、エアーポンプが損傷する恐れがないマッサージ機を提供できる。
【発明を実施するための最良の形態】
【０００９】
図１〜図３を参照して本発明の第１実施形態を説明する。
【００１０】
図１中符号１はマッサージ機例えばマッサージマットを示しており、そのマット本体（マッサージ機本体）２は長方形である。マット本体２の例えば図１中符号Ａ、Ｂで示す部位は、他の部分より折り曲げ易く形成されていて、これらの部位Ａ、Ｂでマット本体２は非使用時に折り畳めるようになっている。
【００１１】
マット本体２の人体が接する表面（人体支持面）側には、エアーの給排気により膨縮を繰り返す複数のマッサージ用エアーバッグ３〜９と、保持用エアーバッグ１０とが配設されている。これらのエアーバッグ３〜１０はいずれも生地型エアーバッグからなる。生地型エアーバッグは、伸縮性のある生地が一面に積層された合成樹脂製シートを素材として用い、このシートを熱融着などにより袋状に形成してなる袋本体にエアーの出入り口を装着してなるものである。
【００１２】
エアーバッグ３は人体の左肩部をマッサージする位置に配設され、エアーバッグ４は人体の右肩部をマッサージする位置に配置されている。エアーバッグ５は人体の左背中部をマッサージする位置に配設され、エアーバッグ６は人体の右背中部をマッサージする位置に配置されている。エアーバッグ７は人体の左腰部をマッサージする位置に配設され、エアーバッグ８は人体の右腰部をマッサージする位置に配置されている。エアーバッグ９は人体の首肩部をマッサージ又は保持する位置に配置されている。
【００１３】
保持用のエアーバッグ１０は例えば人体の下腿を保持する位置に配置されている。保持用のエアーバッグ１０の容積はマッサージ用エアーバッグ３〜９の個々の容積よりも大きい。このエアーバッグ１０は、それが使用されるときには、マッサージ用エアーバッグ３〜９の膨縮に比較してゆっくりとした速度で膨縮を繰り返す他、膨張状態を保持して人体の下腿を所望の高さに押し上げた状態に保持する。
【００１４】
マット本体２の長手方向一端部、好ましくは保持用エアーバッグ１０に近い側の端部には、エアー分配部１１と、駆動部３１と、回路部３５とが夫々配置されている。駆動部３１と回路部３５とは、マット本体２に、着脱できても、外れないように内蔵されていてもよい。駆動部３１及び回路部３５が、マット本体２に着脱可能である場合には、これらを一体のユニットとすることが取扱い上の利便性を得る上で好ましい。
【００１５】
駆動部３１は図２に示すエアーポンプ３２を備えている。このエアーポンプ３２には例えばベーンポンプを好適に使用できる。回路部３５は、駆動部３１及びエアー分配部１１の後述する各電磁弁を制御するコントローラ（図示しない）を備えている。この回路部３５には図１に示すようにリモートコントローラ３６が有線又は無線で電気的に接続されている。
【００１６】
リモートコントローラ３６には、いずれも図示しないが液晶ディスプレイ、電源スイッチ、各種マッサージモードの選択釦の他に、保持用エアーバッグ１０の高さ調節釦などが設けられている。高さ調節釦は、エアーバッグ１０の膨張高さを高くしたり、低くしたりするための双方向の押圧部を有している。いずれかの押圧部が押された場合、それが押されている時間に相当する操作入力が連続して回路部３５に与えられて駆動部３１が動作するので、エアーバッグ１０に対する空気の供給又は排出がなされる。この供給又は排出動作は前記押圧部の押圧が解除された時点で停止されるようになっている。
【００１７】
図２に示すようにエアー分配部１１は、常開の通気用電磁開閉弁１２と、マッサージ用エアーバッグ３〜９に対する給排気を個別に行わせる給排気用電磁弁１３〜１９と、保持用エアーバッグ１０に対する給排気用電磁切換え弁２０と、エアーバッグ１０に対する常閉の外部排出用電磁開閉弁２１と、エアーバッグ１０に対する排気用電磁弁２２と、真空防止孔２３とを備えている。なお、給排気用電磁弁１５〜１８の図示は省略する。
【００１８】
通気用電磁開閉弁１２は、ポートＰとポートＲとを有していて、通電（ＯＮ）時にポートＰ，Ｒの連通を遮断する状態になり、非通電（ＯＦＦ）時にポートＰ，Ｒが連通した状態を保持する。この電磁開閉弁１２のポートＰは、吸込み配管２５を介してエアーポンプ３２の吸込み口３２ａに接続されている。電磁開閉弁１２のポートＲは大気中に開放されている。吸込み配管２５は、可撓性を有したエアーチューブと、このチューブの中間部に配設された管継手２６とを備えている。
【００１９】
管継手２６は合成樹脂により例えば図３に示すように第１から第３の端部を有してＴ字形状に一体成形されている。管継手２６の第１の端部２６ａは通気用電磁開閉弁１２のポートＰに接続され、管継手２６の第２の端部２６ｂはエアーポンプ３２の吸込み口３２ａに接続されている。この管継手２６には真空防止孔２３が一体に成形されている。真空防止孔２３は微小な孔からなり、吸込み配管２５の内部と外部とを連通している。
【００２０】
真空防止孔２３を管継手２６に一体に成形する構成は、管継手２６の成形と同時に真空防止孔２３が形成されるため、この真空防止孔２３を開けるための後加工を要することがない点で、コストダウンを図る上で好ましい。この真空防止孔２３は、空気をエアーポンプ３２に導く吸込み通路系のエアーチューブ（これは吸込み配管２５の一部を形成している。）、つまり、管継手２６と吸込み口３２ａとを接続したエアーチューブ、又は、管継手２６と給排気用電磁切換え弁２０とを接続して保持用エアーバッグ１０内から強制的に吸い出された空気を導くエアーチューブ、若しくは管継手２６と通気用電磁開閉弁１２とを接続したエアーチューブ（これは吸込み配管２５の一部を形成している。）等に設けることができる。
【００２１】
給排気用電磁弁１３〜１９は、いずれも同じものであって、ポートＡ、ポートＰ、ポートＲを有している。ポートＡはマッサージ用エアーバッグ３〜９のいずれかに可撓性エアーチューブを介して接続されている。給気ポートとして機能するポートＰはエアーポンプ３２の吐出し口３２ｂに可撓性エアーチューブを介して接続されている。排気ポートとして機能するポートＲは大気中に開放されている。これらの電磁弁１３〜１９は、通電（ＯＮ）時にポートＡをポートＰに接続した状態、つまり、ポートＰに接続されたマッサージ用エアーバッグに給気する状態に切換わり、非通電（ＯＦＦ）時にポートＡをポートＲに接続した状態、つまり、マッサージ用エアーバッグから大気中に排気する状態に切換わるようになっている。これら給排気用電磁弁１３〜１９の通電・非通電は、個別に又は同時に制御される。
【００２２】
給排気用電磁切換え弁２０は、ポートＡ、ポートＰ、ポートＲを有している。ポートＡは保持用エアーバッグ１０に可撓性エアーチューブを介して接続されている。給気ポートとして機能するポートＰはエアーポンプ３２の吐出し口３２ｂに可撓性エアーチューブからなる給気配管２７を介して接続されている。ポートＲは排気ポートとして用いられている。この電磁切換え弁２０は、その通電（ＯＮ）時にエアーバッグ１０を給気ポートであるポートＰに連通させるとともにエアーバッグ１０と排気ポートであるポートＲとの連通を遮断する切換え状態となる。更に、電磁切換え弁２０は、その非通電（ＯＦＦ）時にエアーバッグ１０をポート（排気ポート）Ｒに連通させるとともにエアーバッグ１０とポート（給気ポート）Ｐとの連通を遮断する切換え状態となる。
【００２３】
外部排出用電磁開閉弁２１は、ポートＰ、ポートＲを有している。そのポートＰは、電磁切換え弁２０のポートＰと吐出し口３２ｂとを接続した給気配管２７の途中に接続され、又、ポートＲは大気中に開放されている。この電磁開閉弁２１は、通電（ＯＮ）時にポートＰ，Ｒを連通させる開き状態となり、非通電（ＯＦＦ）時にポートＰ，Ｒの連通を断つ閉じ状態となる。
【００２４】
排気用電磁弁２２は、ポートＰ、ポートＡを有している。そのポート（吸気ポート）Ｐは、前記管継手２６の第３の端部２６ｃに、可撓性エアーチューブ２８を介して接続されている。したがって、排気用電磁弁２２のポートＰはエアーポンプ３２の吸込み口３２ａに接続されている。この電磁弁２２のポートＡは給排気用電磁切換え弁２０の排気ポートであるポートＲに可撓性エアーチューブ２９を介して接続されている。排気用電磁弁２２は、通電（ＯＮ）時にポートＰ，Ａを連通させる開き状態となり、非通電（ＯＦＦ）時にポートＰ，Ａの連通を断つ閉じ状態となる。エアーチューブ２８，２９は、電磁切換え弁２０のポートＲと吸込み配管２５とを接続する戻し配管をなしており、この戻し配管の中間に排気用電磁弁２２が設けられている。
【００２５】
前記構成を備えたマッサージマット１で、リモートコントローラ３６を操作して、マッサージ用エアーバッグ３〜９のいずれかを選択して膨縮させ、或いは複数を選択して順次又は同時に膨縮させてマッサージする場合には、通気用電磁開閉弁１２、給排気用電磁切換え弁２０、外部排出用電磁開閉弁２１、排気用電磁弁２２をいずれもＯＦＦした状態（非通電状態）で、エアーポンプ３２をＯＮ（通電）して駆動することと同期して、選択されたマッサージ用エアーバッグに接続された給排気用電磁弁へのＯＮ・ＯＦＦが所定回数繰り返される。
【００２６】
例えば、マッサージ用エアーバッグ３が選択された場合を説明すると、給排気用電磁弁１３がＯＮされた時に、この電磁弁１３のポートＰとポートＡとが連通してエアーバッグ３への給気がなされて、このエアーバッグ３が膨張して人体を押圧する。そして、給排気用電磁弁１３がＯＦＦされた時に、この電磁弁１３のポートＲとポートＡとが連通して、エアーバッグ３内の空気が人体の体重を受けてポートＲを通って外部に排出されるに伴い、エアーバッグ３が収縮して前記押圧が解放される。この繰り返しにより、人体に対するエアーマッサージが行われる。
【００２７】
このマッサージの際におけるエアーポンプ３２に対する空気の補給は、ＯＦＦ時に開き状態にある通気用電磁開閉弁１２から外気を吸込み、これを吸込み配管２５でエアーポンプ３２に導くことによってなされる。又、ＯＦＦされている給排気用電磁切換え弁２０は排気状態にあるが、そのポートＲに接続された排気用電磁弁２２がＯＦＦされていて閉じ状態にあるとともに、ＯＦＦされている外部排出用電磁開閉弁２１も閉じ状態にある。このため、エアーポンプ３２から吐出された空気の一部が外部排出用電磁開閉弁２１及び排気用電磁弁２２を通過することがなく、マッサージ用エアーバッグに対する既述の給排気が確実に実行される。
【００２８】
又、例えば以上のマッサージに先立って人体の足（下腿）を押し上げて保持する場合、若しくはマッサージと関係なく人体の足を押し上げて保持する場合等には、リモートコントローラ３６での操作により保持用エアーバッグ１０を膨張保持させればよい。この場合、エアーポンプ３２がＯＮされるのと同期して給排気用電磁切換え弁２０のみがＯＮされ、それ以外の各弁はいずれもＯＦＦ状態に維持される。通電された電磁切換え弁２０のポートＰ，Ａは連通される。このため、エアーバッグ１０が給気ポートであるポートＰに連通するとともに、これと同期して駆動されるエアーポンプ３２で圧縮された空気が給気配管２７を通じてエアーバッグ１０に導かれて、このエアーバッグ１０が膨張される。
【００２９】
この膨張の程度は、使用者が適当と感じた時点でリモートコントローラ３６での高さ調節用押し釦を「高め」に指定する押圧を解放することで調節できる。この解放に伴い、エアーポンプ３２の運転が停止されるとともに、給排気用電磁切換え弁２０がＯＦＦ状態に切り換えられる。
【００３０】
以上の操作でエアーバッグ１０を膨張させ過ぎた場合、つまり、下腿の押上げ高さが高過ぎた場合には、まず、リモートコントローラ３６での高さ調節用押し釦を「低め」に指定する押圧操作をして、排気用電磁弁２２のみをＯＮして開き状態とする。これにより、エアーポンプ３２の停止下において、給排気用電磁切換え弁２０、前記戻し配管、及び通気用電磁開閉弁１２を順次通して大気中に連通する経路が形成されるので、この経路を経て保持用エアーバッグ１０内の空気が自然に排出される。この場合、人体の下腿によるエアーバッグ１０の押圧荷重は上半身などに比較して小さいので、エアーバッグ１０の空気はゆっくりと排気される。そのため、適当な時期にリモートコントローラ３６での高さ調節用押し釦を「低め」に指定している押圧操作を解放するに伴い、排気用電磁弁２２をＯＦＦして閉じ状態とすることにより、人体の下腿を所望の押し上げ高さとする膨張状態にエアーバッグ１０を保持できる。従って、下腿の高さ調節が容易である。
【００３１】
以上のようにして人体の下腿が所望の押し上げ高さに保持された状態では、すべての弁１２，２０〜２２がいずれも非通電（ＯＦＦ）状態にある。このため、これらの電磁弁のコイルが発熱して温度過昇となることがない。
【００３２】
又、保持用エアーバッグ１０を所定回数膨縮させるには、既述の給排気用電磁切換え弁２０に対するＯＮ−ＯＦＦと、この電磁切換え弁２０のＯＦＦ状態下で排気用電磁弁２２をＯＮさせる動作を所定回数繰り返せばよい。この膨張は予め定められたモード、例えば、就寝に着くためのモードが選択された時に自動的に実行される。この場合、エアーバッグ１０の容積が大きいので、それへの給気と排気とによる膨縮は、マッサージ用エアーバッグの膨縮に比較してかなりゆっくりとした速度で行われる、人体をマッサージするほどの押圧を下腿に与えることがない。
【００３３】
又、前記就寝に着くためのモードでの終期に保持用エアーバッグ１０が就寝の邪魔にならないようにする場合、又はマッサージマット１を折り畳んで押入れなどにしまう場合等に、保持用エアーバッグ１０を収縮させるには、給排気用電磁切換え弁２０をＯＦＦ状態に維持したままで、外部排出用電磁開閉弁２１及び排気用電磁弁２２を共にＯＮさせて連通状態とするとともに、通気用電磁開閉弁１２をＯＮさせて遮断状態とする一方で、エアーポンプ３２をＯＮして駆動すればよい。
【００３４】
これにより、エアーバッグ１０から給排気用電磁切換え弁２０のポートＡとポートＲとを通じ、更に開放状態の排気用電磁弁２２を経て、管継手２６から吸込み配管２５を経由してエアーポンプ３２の吸込み口３２ａに至る強制排気流路が形成される。従って、この強制排気流路を通じて保持用エアーバッグ１０内の空気がエアーポンプ３２に吸込まれるので、この強制排気によってエアーバッグ１０を素早く縮めて平らにすることができる。この場合に、エアーポンプ３２の吐出し口３２ｂから吐出される圧縮空気は、給気配管２７を経て外部排出用電磁開閉弁２１から大気中に放出される。
【００３５】
以上のようにエアーバッグ１０内の空気をエアーポンプ３２で直接的に吸込んで、エアーバッグ１０を急速に縮める構成では、エアーバッグ１０から排出される空気が流入する耐圧構造のケースを要しないので、構成が簡単である。そして、以上の強制排気によりエアーバッグ１０内の空気が完全に抜けた場合、その時点から管継手２６の真空防止孔２３を通る風量が増えて、エアーポンプ３２に対する一定の吸込み風量が確保される。したがって、エアーポンプ３２の内部が異常に高い負圧状態となって、そのベーンが変形するなどの損傷を受けることを防止することができる。
【００３６】
図４を参照して本発明の第２実施形態を説明する。第２実施形態は、以下説明する事項以外は第１実施形態と同じであるので、同様な事項については第１実施形態と同じ符号を付して説明を省略する。
【００３７】
第２実施形態では、マッサージ用エアーバッグ３〜８についても強制排気ができるように常閉の排気用電磁弁４１が、第１実施形態の構成に追加されている。この電磁弁４１は、前記排気用電磁弁２２と同じくポートＰ、ポートＡを有している。電磁弁４１のポート（吸気ポート）Ｐは、前記管継手２６と同じ構成であって吸込み配管２５の中間に介設されたＴ字形の管継手４２の第３の端部に、可撓性エアーチューブ４３を介して接続されている。したがって、排気用電磁弁４１のポートＰはエアーポンプ３２の吸込み口３２ａに接続されている。この電磁弁４１のポートＡは各給排気用電磁弁１３〜１９の排気ポートであるポートＲに可撓性エアーチューブ４４を介して接続されている。排気用電磁弁４１は、通電（ＯＮ）時にポートＰ，Ａを連通させる開き状態となり、非通電（ＯＦＦ）時にポートＰ，Ａの連通を断つ閉じ状態となる。エアーチューブ４３，４４は、給排気用電磁弁１３〜１９のポートＲと吸込み配管２５とを接続する戻し配管をなしており、この戻し配管の中間に排気用電磁弁４１が設けられている。又、管継手４２にも図示しないが小孔からなる真空防止孔が設けられている。真空防止孔は管継手２６，４２の内の少なくとも一方にあればよい。
【００３８】
給排気用電磁弁１３〜１９の内の選択された１又は複数の給排気用電磁弁がＯＮされる時には、排気用電磁弁４１がＯＦＦ状態を維持し、前記選択された給排気用電磁弁がＯＦＦされる時には、それと同期して排気用電磁弁４１が所定時間ＯＮ状態となるように回路部によって通電を制御される。このため、選択された給排気用電磁弁がＯＮされてこの弁に接続されたマッサージ用エアーバッグに給気される時に、排気用電磁弁４１は閉じ状態となり、前記選択された給排気用電磁弁がＯＦＦされてこの弁に接続されたマッサージ用エアーバッグから排気されるときに、排気用電磁弁４１は開き状態となる。
【００３９】
この時、エアーポンプ３２が同期して駆動されるとともに、通気用電磁開閉弁１２がＯＮされて閉じ状態となる。同時に、外部排出用電磁開閉弁２１、保持用エアーバッグ１０に対する給排気用電磁切換え弁２０及び排気用電磁弁２２は、いずれもＯＦＦされる。このため、選択されたマッサージ用エアーバッグ内の空気が、エアーチューブ４３，４４からなる戻し配管、管継手４２とエアーポンプ３２の吸込み口３２ａを接続したエアーチューブにより形成される強制排気経路を通ってエアーポンプ３２に直接的に吸込まれる。これにより、人体の体重だけではなくエアーポンプ３２による強制排気によって、膨張状態のマッサージ用エアーバッグを素早く収縮させることができる。この場合、保持用エアーバッグ１０に対する排気用電磁弁２２は閉じ状態にあるので、エアーポンプ３２の吸気負圧はエアーバッグ１０には波及することがなく、このエアーバッグ１０が膨張状態であれば、その状態が維持される。
【００４０】
マッサージ用エアーバッグが生地型であるにも拘わらず、その内部の空気を上述のように素早く抜くことができるので、マッサージ用エアーバッグの膨張に伴う圧迫と、それに引き続く圧迫解放に伴う弛緩とを明白に知覚させて、エアーマッサージのメリハリをつけることができる。しかも、マッサージ用エアーバッグの収縮に要する時間が短くなることに応じて所定時間内でのマッサージ用エアーバッグの膨縮回数が増えるので、マッサージ上好ましい。
【００４１】
そして、マッサージ用エアーバッグに対する上述の強制排気の終期においては、管継手４２の真空防止孔を通じて外気が吸込み配管２５に吸込まれるので、エアーポンプ３２の内部が異常に高い負圧状態となって、そのベーンが変形するなどの損傷を受けることを防止できる。以上説明した事項以外の事項は第１実施形態と同じであり、この第２実施形態でも以上のように本発明の課題を解決できる。
【００４２】
図５を参照して本発明の第３実施形態を説明する。第３実施形態は、以下説明する事項以外は第１実施形態と同じであるので、同様な事項については第１実施形態と同じ符号を付して説明を省略する。
【００４３】
第３実施形態では、第１実施形態の通気用電磁開閉弁１２及び排気用電磁弁２２に代えて、常開の給排気切換え用電磁弁５１を備えている。この電磁弁５１は、ポートＡ、ポートＰ、ポートＲを有している。ポートＡは給排気用電磁切換え弁２０の排気用のポートＲに可撓性エアーチューブ４４を介して接続されている。吸気ポートとして機能するポートＰは、管継手５２の一端部に可撓性エアーチューブ４３を介して接続されている。管継手５２は直管状であり、その他端部はエアーポンプ３２の吐出し口３２ｂに可撓性エアーチューブからなる給気配管２７を介して接続されている。合成樹脂の成形品からなる管継手５２には図示しないが小孔からなる真空防止孔が設けられている。給排気切換え用電磁弁５１のポートＲは排気ポートとして用いられている。
【００４４】
この電磁弁５１は、その通電（ＯＮ）時にポートＡとポートＰとを連通させるとともにポートＡとポートＲとの連通を遮断する切換え状態となる。又、電磁弁５１は、その非通電（ＯＦＦ）時にポートＡをポート（排気ポート）Ｒに連通させるとともにポートＡとポート（吸気ポート）Ｐとの連通を遮断する切換え状態となる。
【００４５】
この給排気切換え用電磁弁５１がＯＦＦ状態でエアーポンプ３２が駆動されたときには、外気をポートＲ及びポートＰを通してエアーポンプ３２に吸込むことができるが、この時、ポートＲとポートＡと非連通状態にあるので、エアーポンプ３２の吸気負圧は保持用エアーバッグ１０には波及しない。
【００４６】
又、給排気切換え用電磁弁５１に通電した状態でエアーポンプ３２を駆動させる場合には、エアーバッグ１０内の空気を強制排気することができる。又、エアーポンプ３２の停止状態において給排気切換え用電磁弁５１に通電した場合には、エアーバッグ１０内の空気を、管継手５２の真空防止孔から外部に排出させて自然排気することができる。
【００４７】
そして、以上説明した事項以外の事項は第１実施形態と同じであり、この第３実施形態でも本発明の課題を解決できる。しかも、第３実施形態は、使用する電磁便の数を減らすことができる点で好ましい。
【００４８】
なお、本発明は前記各実施形態には制約されるものではなく、例えば椅子式やベッド式のマッサージ機にも適用できる。
【図面の簡単な説明】
【００４９】
【図１】本発明の第１実施形態に係るマッサージマットのマット本体に対する各種部品の配置を概略的に示す図
【図２】図１のマッサージマットの通路系統を示すブロック図。
【図３】図２の通路系統に使用される管継手を拡大して示す断面図。
【図４】本発明の第２実施形態に係るマッサージマットの通路系統を示すブロック図。
【図５】本発明の第３実施形態に係るマッサージマットの通路系統を示すブロック図。
【符号の説明】
【００５０】
１…マッサージマット（マッサージ機）、２…マット本体（マッサージ機本体）、３〜９…マッサージ用エアーバッグ、１０…保持用エアーバッグ、１２…通気用電磁開閉弁、１３〜１９…給排気用電磁弁、２０…給排気用電磁切換え弁、２１…外部排出用電磁開閉弁、２２…排気用電磁弁、２３…真空防止孔、Ｐ…ポート、Ａ…ポート、Ｒ…ポート、２５…吸込み配管、２６…管継手、２７…給気配管、２８，２９…エアーチューブ（戻し配管）、４１…排気用電磁弁、４２…管継手、４３，４４…エアーチューブ（戻し配管）、５１…給排気切換え用電磁弁、５２…管継手
【図１】
2006212257.tif 000003
【図２】
2006212257.tif 000004
【図３】
2006212257.tif 000005
【図４】
2006212257.tif 000006
【図５】
2006212257.tif 000007